(57)【要約】【課題】設置場所の制限が緩和され、住宅密集地や狭小地でも必要負荷に応じた能力可変性を持つ地中熱用熱交換器ユニットを提供すること。【解決手段】直方体状の筐体１０１と、筐体１０１の天面１０１ａに設けられた入口配管１０２および出口配管１０３と、筐体１０１の内部に設けられ入口配管１０２および出口配管１０３に接続された熱交換器１０４と、筐体１０１の内部に設けられ、熱交換器１０４の周囲に充填された熱媒体１０５と、を備え、熱交換器１０４は複数の水平配管２０１、２０２を有し、複数の水平配管２０１、２０２は、天面１０１ａと平行な平面上に配置された、地中熱用熱交換器ユニットを地中へ設置する。【選択図】図１
2017146005.tif 000002
【特許請求の範囲】
【請求項１】
直方体状の筐体と、
前記筐体の天面に設けられた入口配管および出口配管と、
前記筐体の内部に設けられ前記入口配管および前記出口配管に接続された熱交換器と、
前記筐体の内部に設けられ前記熱交換器の周囲に充填された熱媒体と、を備え、
前記熱交換器は複数の水平配管を有し、
前記複数の水平配管は、前記天面と平行な平面上に配置された、地中熱用熱交換器ユニット。
【請求項２】
前記熱交換器は、複数の水平配管で渦巻き状の流路が形成された熱交換器である、
請求項１に記載の地中熱用熱交換器ユニット。
【請求項３】
前記熱交換器は、複数の水平配管で蛇行する流路が形成された熱交換器である、
請求項１に記載の地中熱用熱交換器ユニット。
【請求項４】
隣接して配置された複数の請求項１〜３に記載の地中熱用熱交換器ユニットを、備え、
前記複数の地中熱用熱交換器ユニットのうち少なくとも１つの地中熱用熱交換器ユニットは、当該地中熱用熱交換器ユニットの前記出口配管を有する側の側面を、当該熱交換器ユニットと隣接する熱交換器ユニットの前記出口配管を有する側の側面に対向させた、熱搬送装置。
【発明の詳細な説明】
【技術分野】
【０００１】
本発明は、地中に埋設される地中熱用熱交換器ユニットおよびそれを用いた熱搬送装置に関するものである。
【背景技術】
【０００２】
地中の温度は、外気温度に比べると、夏は低く、冬は高い。例えば、日本国内の地下１０ｍの地中の温度は、一年を通じて約１５℃程度とほぼ一定である。このため、地中へ地中熱用熱交換器を埋設し、地中熱を熱源として利用することが行われている。
【０００３】
特許文献１に記載の地中熱用熱交換器は、熱交換配管を建築用杭に巻きつけるものである。建築用杭を地中に垂直に埋設し、熱交換配管を介して、地中の熱源と熱交換する。この地中熱用熱交換器を設置するためには、地下１０ｍ以上の垂直穴を掘削する必要がある。
【０００４】
特許文献２に記載の地中熱用熱交換器は、熱交換用配管をループ状に巻いて、ループ部分を水平にずらし、ループ部分を傾斜させて保持するものである。この地中熱用熱交換器を設置するためには、地表から比較的浅い、地下１．０〜２．０ｍの垂直穴を掘削する必要がある。
【先行技術文献】
【特許文献】
【０００５】
【特許文献１】特開２００３−２０６５２８号公報
【特許文献２】特開２００６−２２０４０２号公報
【発明の概要】
【発明が解決しようとする課題】
【０００６】
しかしながら、特許文献１に開示された地中熱用熱交換器では、次のような課題がある。建築用杭は建築物を建てる前に施工するため、既築の建物には適応できない。さらに、熱交換用配管は、建築物の基礎として設置される建築用杭の本数分しか設置できないため、必要な熱量が得られない。また、熱交換用配管を設置する場所が制限される場合がある。
【０００７】
また、特許文献２に開示された地中熱用熱交換器では、次のような課題がある。地表から比較的浅い１．０〜２．０ｍの位置に、ループ部状の熱交換用配管を並べて設置しても、地中温度が安定せず効率的な熱交換が難しい。このため、広い範囲に地中熱用熱交換器を設置する必要があり、住宅密集地や狭小地に設置することが困難である。
【０００８】
本発明は、設置場所の制限が緩和され、住宅密集地や狭小地でも必要負荷に応じた能力可変性を持つ地中熱用熱交換器ユニットを提供することを目的とする。
【課題を解決するための手段】
【０００９】
前記従来の課題を解決するために、本発明の地中熱用熱交換器ユニットは、直方体状の筐体と、前記筐体の天面に設けられた入口配管および出口配管と、前記筐体の内部に設けられ前記入口配管および前記出口配管に接続された熱交換器と、前記筐体の内部に設けられ、前記熱交換器の周囲に充填された熱媒体とを備え、前記熱交換器は複数の水平配管を有し、前記水平配管は、前記天面と平行な平面上に配置された、地中熱用熱交換器ユニットである。
【００１０】
これによれば、地中熱用熱交換器はユニット化されているため、設置場所の制限が緩和され、コンパクトなシステムを提供することができる。
【発明の効果】
【００１１】
本発明の地中熱用熱交換器ユニットは、設置場所の制限が緩和され、浅層設置、狭小地でも効率的な熱交換ができる。
【図面の簡単な説明】
【００１２】
【図１】本発明の実施の形態１に係る地中熱用熱交換器ユニットを用いた熱搬送装置の概略構成図
【図２】本発明の実施の形態２に係る地中熱用熱交換器ユニットの概略構成図であり、（ａ）正面図、（ｂ）上面図
【図３】本発明の実施の形態３に係る地中熱用熱交換器ユニットの変形例の概略構成図であり、（ａ）正面図、（ｂ）上面図
【図４】本発明の実施の形態２に係る複数の地中熱用熱交換器ユニットを用いた熱搬送装置の概略構成図
【図５】本発明の実施の形態２に係る熱搬送装置の複数の地中熱用熱交換器ユニットの配置の概略を示す上面図
【図６】比較例に係る熱搬送装置の複数の地中熱用熱交換器ユニットの配置の概略を示す上面図
【発明を実施するための形態】
【００１３】
第１の発明は、直方体状の筐体と、前記筐体の天面に設けられた入口配管および出口配管と、前記筐体の内部に設けられ前記入口配管および前記出口配管に接続された熱交換器と、前記筐体の内部に設けられ、前記熱交換器の周囲に充填された熱媒体と、を備え、前記熱交換器は複数の水平配管を有し、前記複数の水平配管は、前記天面と平行な平面上に配置されている。
【００１４】
この構成によれば、地中熱用熱交換器ユニットとして、工場等であらかじめ、筐体に熱媒体および熱交換器を組み立て、工場から設備の施工現場へ容易に運搬することが可能である。また、コンパクトに収納された地中熱用熱交換器ユニットは、設置場所に制限されることなく、容易に施工できる。これにより、設備構築現場での必要施工時間を効果的に短縮することができるとともに、施工費用も効果的に低減することが可能となる。
【００１５】
また、熱交換器を構成する複数の水平配管は、筐体の底面に対しても水平となるので、地中熱用熱交換器ユニットのうち最も深い底面側に近接する配管の伝熱面積を大きくすることができ、効率のよい熱交換ができる。
【００１６】
第２の発明は、第１の発明において、前記熱交換器は、複数の水平配管で渦巻き状の流路が形成された熱交換器を設けたものである。
【００１７】
これにより、浅層領域かつ狭小地でも地中との熱交換が効率的に行うことができる。
【００１８】
第３の発明は、第１の発明において、前記熱交換器は、複数の水平配管で蛇行する流路が形成された熱交換器である。
【００１９】
これにより、浅層領域かつ狭小地でも地中との熱交換が効率的に行うことができる。
【００２０】
第４の発明は、隣接して配置された複数の第１〜３の発明の地中熱用熱交換器ユニット
を、備え、前記複数の地中熱用熱交換器ユニットのうち少なくとも１つの地中熱用熱交換器ユニットは、当該地中熱用熱交換器ユニットの前記出口配管を有する側の側面を、当該熱交換器ユニットと隣接する熱交換器ユニットの前記出口配管を有する側の側面に対向させたものである。
【００２１】
これにより、熱搬送装置の必要負荷に応じ、複数の地中熱用熱交換ユニットを接続することで、熱交換能力の可変性を持つことができる。
【００２２】
以下、本発明の実施形態について、図面を参照しながら説明する。なお、この実施形態によって本発明が限定されるものではない。
【００２３】
（実施の形態１）
図１は、本発明の実施の形態１に係る地中熱用熱交換器ユニットを用いた熱搬送装置の概略構成図である。
【００２４】
図１に示すように、熱搬送装置１０は、地中熱用熱交換器ユニット１００と、熱源機２００と、地中熱用熱交換器ユニット１００と熱源機２００と接続する第１接続配管３００ａおよび第２接続配管３００ｂとを備えている。
【００２５】
地中熱用熱交換器ユニット１００は、地表から地下へ所定の深さおよび所定の広さを有する掘削領域２０に設置され、地中に埋設されている。地中熱用熱交換器ユニット１００は、例えば、地表から１．０ｍ〜５．０ｍで所定の広さを有する掘削領域２０に設置される。
【００２６】
地中熱用熱交換器ユニット１００は、直方体状の筐体１０１と、筐体１０１の天面に設けられた入口配管１０２および出口配管１０３とを備えている。筐体１０１の高さは、天面の短辺より短いことが望ましい。筐体１０１の高さは、天面の短辺の１／４〜１／２倍であることが望ましい。
【００２７】
また、筐体１０１の高さは、０．３ｍ以下であることが望ましい。これによれば、小型のパワーショベルの１回の掘削深さは１．０ｍ程度であるため、２〜３回の掘削で、地中熱用熱交換器ユニット１００を設置するための、深さ１．０ｍ〜２．０ｍの掘削領域２０を掘削できる。
【００２８】
入口配管１０２は、第１接続配管３００ａを介して、地表に設置された熱源機２００に接続されている。また、出口配管１０３は、第２接続配管３００ｂを介して、熱源機２００に接続されている。つまり、地中熱用熱交換器ユニット１００と、第１接続配管３００ａと、熱源機２００と、第２接続配管３００ｂとは、環状に接続され、作動流体循環回路を構成する。
【００２９】
第１接続配管３００ａおよび第２接続配管３００ｂは、それぞれ、断熱材で覆われていることが望ましい。これによれば、第１接続配管３００ａおよび第２接続配管３００ｂを流れる作動流体が、地中の垂直方向の温度分布や外気の影響を受けることがなく、地中熱用熱交換器ユニット１００と熱源機２００との間で、熱を効率よく搬送できる。
【００３０】
作動流体循環回路には、作動流体が封入されている。作動流体としては、不凍液（ブライン）や、水が用いられる。作動流体循環回路には、ポンプ（図示せず）が設けられている。ポンプは、熱源機２００内に設けても、熱源機２００とは別体に設けても良い。
【００３１】
次に、熱搬送装置１０を用い冷凍サイクル装置（図示せず）について、説明する。冷凍
サイクル装置は、熱搬送装置１０と、圧縮機（図示せず）と、利用側熱交換器（図示せず）と、減圧手段（図示せず）などを備えている。
【００３２】
熱搬送装置１０の熱源機２００は、熱源側熱交換器として、圧縮機、利用側熱交換器、減圧手段などと、冷凍サイクル回路を構成する。つまり、熱源機２００は、冷凍サイクル回路の熱源側熱交換器の一部を構成する。または、熱源機２００は、熱源側熱交換器として、圧縮機、利用側熱交換器、減圧手段、熱源側熱交換器とを備えた冷凍サイクル回路と熱的に接続される。つまり、熱源機２００は、冷凍サイクル回路の熱源側熱交換器と熱交換可能に接続される。または、熱源機２００をファンコイルユニットや、融雪用パネルなどと接続してもよい。
【００３３】
冷凍サイクル回路には、冷媒が封入されている。冷媒としては、Ｒ４１０ＡやＲ３２などのフッ化炭化水素や、Ｒ２９０などの炭化水素が用いられる。
【００３４】
［地中熱用熱交換器ユニットの構成］
地中熱用熱交換器ユニット１００の構成について、図２を用いて、さらに説明する。図２は、地中熱用熱交換器ユニット１００の概略構成図であり、（ａ）正面図、（ｂ）上面図である。
【００３５】
筐体１０１の内部には、入口配管１０２および出口配管１０３に接続された熱交換器１０４と、熱交換器１０４の周囲に充填された熱媒体１０５とが設けられている。
【００３６】
筐体１０１の外殻は、薄板の金属板または樹脂板で構成されている。これに限定されることなく、筐体１０１の外殻は、可塑性を有する固体または弾性を有するシート状のもので構成されていてもよい。筐体１０１は、可能な限り肉厚が薄いもので構成することが好ましい。また、筐体１０１を構成する材料は、不透水性を有している必要はなく、むしろ、透水性を有しているほうが望ましい。筐体１０１を構成する材料は、耐候性、耐久性を有し、熱伝導性が良く、取扱いが容易な材質であることが望ましい。
【００３７】
熱媒体１０５は、熱伝導性の高い物質が好ましい。熱媒体１０５は、固体の粒子の集合体またはゲル状の液体が望ましい。例えば、粒径１．０ｍｍ〜５．０ｍｍ程度の珪砂または砂利が望ましい。
【００３８】
筐体１０１の天面１０１ａは、矩形状の平面で構成されている。天面１０１ａは、長辺が短辺の２〜４倍の矩形状の平面であることが望ましい。天面１０１ａの短辺は、０．３ｍ以下であることが望ましい。これによれば、小型のパワーショベルのバケット幅は約０．３ｍ程度であるため、１回の掘削で、地中熱用熱交換器ユニット１００を設置するための広さの掘削領域２０を掘削できる。
【００３９】
天面１０１ａは、長手方向の中央部に入口配管１０２を備えている。また、天面１０１ａは、長手方向のいずれか一方の端部に出口配管１０３を備えている。入口配管１０２と出口配管１０３は、それぞれ、天面１０１ａに対して垂直に設けられている。
【００４０】
入口配管１０２は、天面１０１ａの２つの長辺のそれぞれの中点を結ぶ線上に設けることが望ましい。さらに、入口配管１０２は、天面１０１ａの２つの長辺のそれぞれの中点を結ぶ線上であって、天面１０１ａの短手方向の中心に設けることがより望ましい。換言すると、入口配管１０２は、天面１０１ａの重心を通ることが望ましい。
【００４１】
また、出口配管１０３は、天面１０１ａの短手方向のいずれか一方の端部に設けることが望ましい。換言すると、出口配管１０３は、天面１０１ａの四隅のいずれか１つの隅に
設けることが望ましい。
【００４２】
以上のように構成された地中熱用熱交換器ユニット１００、それを用いた熱搬送装置１０および冷凍サイクル装置の動作について説明する。
【００４３】
ポンプの動作により、作動流体は、第１接続配管３００ａを介して、入口配管１０２から熱交換器１０４へと流れ込む。作動流体は、熱交換器１０４を通過する過程で、熱交換器１０４の周囲に充填された熱媒体１０５と熱交換（放熱または吸熱）する。この熱交換は、作動流体、熱媒体１０５ともに顕熱変化するので、顕熱−顕熱熱交換である。その後、作動流体は、出口配管１０３より排出される。作動流体は、第２接続配管３００ｂを介して、地中から地上へ汲み上げられ、熱源機２００へと流れ込む。
【００４４】
このように、熱搬送装置１０は、地中熱を熱源機２００へと搬送したり、熱源機２００の熱を地中に放熱したりすることができる。
【００４５】
さらに、熱搬送装置１０を利用する冷凍サイクル装置の動作について説明する。熱源機２００の作動流体は、冷媒と熱交換する。この熱交換は、作動流体は顕熱変化し、冷媒は顕熱変化または潜熱変化するので、顕熱−顕熱熱交換または顕熱−潜熱熱交換である。
【００４６】
例えば、冷凍サイクル装置では、作動流体から冷媒に伝えられた地中熱を用いる空気調和機として、冷房運転や暖房運転を行う。冷房運転の場合には、冷媒は圧縮機で圧縮され、高温高圧状態となり、熱源側熱交換器へ流入する。熱源側熱交換器では、冷媒は作動流体に放熱する。その後、冷媒は、減圧手段で減圧されて、低圧の気液二相状態となり、利用側熱交換器へ流入する。利用側熱交換器では、室内の空気などを冷却する。その後、冷媒は再び圧縮機に吸入される。このようなサイクルを繰り返すことにより、利用側熱交換器で吸熱による冷却作用を行う。
【００４７】
暖房運転の場合には、冷媒は圧縮機で圧縮され、高温高圧状態となり、利用側熱交換器へ流入する。利用側熱交換器では、冷媒は室内の空気などに放熱する。その後、冷媒は、減圧手段で減圧されて、低圧の気液二相状態となり、熱源側熱交換器へ流入する。熱源側熱交換器では、冷媒は作動流体から吸熱する。その後、冷媒は再び圧縮機に吸入される。このようなサイクルを繰り返すことにより、利用側熱交換器で放熱による加熱作用を行う。なお、利用側熱交換器を床に設けられた放熱パネルとすれば、床暖房を行うこともできる。
【００４８】
［熱交換器の構成］
熱交換器１０４の構成について、図２を用いて、さらに説明する。熱交換器１０４は、配管を渦巻状に形成した渦巻状部１０４ａと、渦巻状部１０４ａから突出する入口管接続部１０４ｂと、出口管接続部１０４ｃとを備えている。渦巻状部１０４ａは、天面１０１ａに対して平行に、筐体１０１に入口配管１０２および出口配管１０３を介して保持されている。つまり、渦巻状部１０４ａを構成する配管を通る平面が、天面１０１ａと平行となるように保持されている。
【００４９】
渦巻状部１０４ａは、１本の配管を複数回、曲げて、渦巻状に形成しても、複数の配管を、所定の角度に曲げられた接続管によって接続して、渦巻状に形成してもよい。配管には、鋼管などの金属管、樹脂製管などが適用可能であるが、設置性、耐久性などの観点から樹脂製管が望ましい。樹脂製管の材料はポリエチレン、ポリプロピレン、ポリブテンなどが挙げられる。中でもポリエチレンが好ましい。
【００５０】
入口管接続部１０４ｂの一端は、渦巻状部１０４ａの中央部の配管に接続され、他端は
入口配管１０２に接続されている。出口管接続部１０４ｃの一端は、渦巻状部１０４ａの端部の配管に接続され、他端は出口配管１０３に接続されている。入口管接続部１０４ｂおよび出口管接続部１０４ｃは、渦巻状部１０４ａを構成する配管を通る平面から略垂直に突出するように設けられている。  渦巻状部１０４ａは、天面１０１ａに平行な平面上を、筐体１０１の中央部から、筐体１０１の外殻側に向かって、径を拡大しながら広がる渦巻き状の配管である。渦巻状部１０４ａは、天面１０１ａに対して水平方向に設けられた複数の略直線状の配管を備えている。
【００５１】
より具体的には、渦巻状部１０４ａは、入口管接続部１０４ｂに接続された第１長水平配管２０１ａと、第１長水平配管２０１ａの他端に接続された第１短水平配管２０２ａと、第１短水平配管２０２ａの他端に接続された第２長水平配管２０１ｂと、第２長水平配管２０１ｂの他端に接続された第２短水平配管２０２ｂと、第２短水平配管２０２ｂの他端に接続された第３長水平配管２０１ｃと、第３長水平配管２０１ｃの他端に接続された第３短水平配管２０２ｃと、第３短水平配管２０２ｃの他端に接続された第４長水平配管２０１ｄと、第４長水平配管２０１ｄの他端に接続された第４短水平配管２０２ｄと、第４短水平配管２０２ｄの他端に接続された第５長水平配管２０１ｅと、第５長水平配管２０１ｅの他端に接続された第５短水平配管２０２ｅと、第５短水平配管２０２ｅに接続された出口管接続部１０４ｃとを備えている。
【００５２】
第１長水平配管２０１ａから第５長水平配管２０１ｅは、それぞれ、天面１０１ａの長手方向に平行な方向に設けられた略直線状の配管である。第１短水平配管２０２ａから第５短水平配管２０２ｅは、それぞれ、天面１０１ａの短手方向に平行な方向に設けられた略直線状の配管である。長水平配管２０１と短水平配管２０２とは、略直角に曲げられた接続管によって接続されている。
【００５３】
第１短水平配管２０２ａから第５短水平配管２０２ｅのそれぞれの長さは、第２長水平配管２０１ｂから第５長水平配管２０１ｅのいずれの長さよりも短い。第１長水平配管２０１ａは、第２長水平配管２０１ｂの略１／２の長さである。
【００５４】
第４長水平配管２０１ｄは、出口管接続部１０４ｃが設けられた側であって、天面１０１ａの長辺側に位置する側面に沿う配管である。
【００５５】
第５長水平配管２０１ｅは、出口管接続部１０４ｃが設けられていない側であって、天面１０１ａの長辺側に位置する側面に沿う配管である。第５長水平配管２０１ｅは、筐体１０１の内部に収納できる限度で、天面１０１ａの長手方向の長さとほぼ同じ長さを有している。少なくとも、第５長水平配管２０１ｅは、他の長水平配管２０１や短水平配管２０２より長い。
【００５６】
第４短水平配管２０２ｄは、出口管接続部１０４ｃが設けられていない側であって、天面１０１ａの短辺側に位置する側面に沿う配管である。第４短水平配管２０２ｄは、筐体１０１の内部に収納できる限度で、天面１０１ａの短手方向の長さとほぼ同じ長さを有している。少なくとも、第４長水平配管２０１ｄは、他の短水平配管２０２より長い。
【００５７】
第５短水平配管２０２ｅは、出口管接続部１０４ｃが設けられた側であって、天面１０１ａの短辺側に位置する側面に沿う配管である。第５短水平配管２０２ｅは、筐体１０１の内部に収納できる限度で、天面１０１ａの短手方向の長さとほぼ同じ長さを有している。少なくとも、第５短水平配管２０２ｅは、第４長水平配管２０１ｄと同等以上の長さを備えている。
【００５８】
隣接する長水平配管２０１どうしは、所定の間隔をあけて設けてある。同様に隣接する
短水平配管２０２どうしも、所定の間隔をあけて設けてある。隣接する長水平配管２０１どうしの間隔は、１０ｍｍ以上が好ましい。また、隣接する短水平配管２０２どうしの間隔は、１０ｍｍ以上が望ましい。これによれば、筐体１０１の内部に熱がこもることを防止できる。
【００５９】
このように、渦巻状部１０４ａを、複数の長水平配管２０１と複数の短水平配管２０２とを組み合わせた矩形状の渦巻き形状とすることが、より長い配管を筐体１０１の内部に収納できるので、望ましい。これにより、熱交換器１０４の熱交換性能が向上する。より具体的には、矩形状の渦巻き形状とすることで、円状の渦巻き形状に対して、単位設置面積あたりの熱交換量が約１．３倍となる。
【００６０】
なお、渦巻状部１０４ａは、第５長水平配管２０１ｅまでの５本の長水平配管２０１と、第５短水平配管２０２ｅまでの５本の短水平配管２０２とを備えているが、長水平配管２０１および短水平配管２０２をそれぞれ複数の本数、備えていればよく、この本数に限定されるものではない。また、渦巻状部１０４ａを構成する配管のうち、側面に沿う配管以外は、必ずしも、長水平配管２０１と短水平配管２０２とで構成されていなくてもよく、例えば、一部または全部の配管が、曲線状の配管や、筐体１０１の側面に対して傾斜した方向の直線状の配管で構成されていてもよい。
【００６１】
以上のように構成された地中熱用熱交換器ユニット１００の動作について説明する。
【００６２】
入口配管１０２から筐体１０１の内部に流入した作動流体は、入口管接続部１０４ｂから渦巻状部１０４ａに流入する。渦巻状部１０４ａでは、作動流体は、第１長水平配管２０１ａから第１短水平配管２０２ａ、第２長水平配管２０１ｂと順に、渦巻状部１０４ａの外周方向へ向かって流れる。複数の長水平配管２０１および複数の短水平配管２０２を通過後、第５短水平配管２０２ｅへ到達し、出口管接続部１０４ｃを介して、出口配管１０３から排出される。
【００６３】
作動流体は、熱交換器１０４を通過する過程で、熱交換器１０４の周囲に充填された熱媒体１０５および筐体１０１の外殻を介して、地中熱と熱交換（放熱または吸熱）する。
【００６４】
筐体１０１の外殻が透水性を有している場合には、地中に含まれる水が、外殻を通過して、熱媒体１０５に達することができるため、作動流体と地中熱との熱交換を促進できる。
【００６５】
作動流体が地中熱へ放熱する場合には、作動流体は、高温で入口管接続部１０４ｂへ流入し、渦巻状部１０４ａで中央部から外周方向へと温度を低下させながら流れ、地中温度より若干高く、入口管接続部１０４ｂでの温度より低い温度となり出口管接続部１０４ｃへと流れる。作動流体が地中熱へ放熱する場合、つまり、冷凍サイクル装置が冷房運転する場合には、外気温度が地中温度より高い季節であるため、地中温度は、筐体１０１の天面１０１ａ側より底面側の方が低い。
【００６６】
また、作動流体が地中熱から吸熱する場合には、作動流体は、低温で入口管接続部１０４ｂへ流入し、渦巻状部１０４ａで中央部から外周方向へと温度を上昇させながら流れ、地中温度より若干低く、入口管接続部１０４ｂでの温度より高い温度となり出口管接続部１０４ｃへと流れる。作動流体が地中熱から吸熱する場合、つまり、冷凍サイクル装置が暖房運転する場合には、外気温度が地中温度より低い季節であるため、地中温度は、筐体１０１の天面１０１ａ側より底面側の方が高い。
【００６７】
このように、放熱、吸熱のいずれの場合にも、筐体１０１の底面と等距離となる渦巻状
部１０４ａの中央部から外周方向へ作動流体を流すことで、作動流体と地中温度との温度差を確保でき、効率のよい熱交換ができる。  以上のように、本実施の形態では、直方体状の筐体１０１と、筐体１０１の天面１０１ａに設けられた入口配管１０２および出口配管１０３と、筐体１０１の内部に設けられ入口配管１０２および出口配管１０３に接続された熱交換器１０４と、筐体１０１の内部に設けられ、熱交換器１０４の周囲に充填された熱媒体１０５と、を備え、熱交換器１０４は複数の水平配管２０１、２０２を有し、複数の水平配管２０１、２０２は天面１０１ａに対して平行な平面上に設けられている。
【００６８】
これによれば、地中熱用熱交換器ユニット１００を、工場等であらかじめ、筐体１０１に熱媒体１０５および熱交換器１０４を組み立て、工場から設備の施工現場へ容易に運搬することが可能である。
【００６９】
また、地中熱用熱交換器ユニット１００は、作動流体と地中温度との温度差を確保でき、効率のよい熱交換ができる熱交換器１０４を、コンパクトに収納しているので、設置場所に制限されることなく、容易に施工できる。
【００７０】
これにより、設備施工現場での必要施工時間を効果的に短縮することができる。また、施工費用も効果的に低減することが可能となる。また、地表から比較的浅い位置で、狭い設置面積に熱交換器を埋設しても、効率のよく地中熱を利用できる。
【００７１】
また、熱交換器１０４を天面１０１ａに対して平行な平面上に設けることで、地中温度との温度差が大きくなる筐体１０１の底面に、近接する伝熱面積を大きくすることができ、効率のよい熱交換ができる。
【００７２】
＜変形例＞
熱交換器１０４の別の構成について、図３を用いて説明する。
【００７３】
図３は、別の地中熱用熱交換器ユニットの概略構成図であり、（ａ）正面図、（ｂ）上面図である。地中熱用熱交換器ユニット３００が、上述の地中熱用熱交換器ユニット１００と異なる点は、熱交換器３０４の流路が蛇行状に形成されている点である。以下、異なる点を中心に説明する。
【００７４】
地中熱用熱交換器ユニット３００は、直方体状の筐体３０１と、筐体３０１の天面に設けられた入口配管３０２および出口配管３０３とを備えている。筐体３０１の内部には、入口配管３０２および出口配管３０３に接続された熱交換器３０４と、熱交換器３０４の周囲に充填された熱媒体１０５とが設けられている。
【００７５】
筐体３０１の天面３０１ａは、矩形状の平面で構成されている。天面３０１ａは、長手方向の中央部に入口配管３０２を備えている。また、天面３０１ａは、長手方向のいずれか一方の端部に出口配管３０３を備えている。入口配管３０２と出口配管３０３は、それぞれ、天面３０１ａに対して垂直に設けられている。
【００７６】
入口配管３０２は、天面３０１ａの２つの長辺のそれぞれの中点を結ぶ線上に設けることが望ましい。さらに、入口配管３０２は、天面３０１ａの２つの長辺のそれぞれの中点を結ぶ線上であって、天面３０１ａのいずれか一方の短辺側に設けることがより望ましい。
【００７７】
また、出口配管１０３は、天面１０１ａの短手方向のいずれか一方の端部に設けることが望ましい。換言すると、出口配管１０３は、天面１０１ａの四隅のいずれか１つの隅に設けることが望ましい。
【００７８】
熱交換器３０４は、配管を天面１０１ａと平行な平面上に、配管を蛇行状に形成した蛇行状部３０４ａと、蛇行状部３０４ａの一端から上方に突出する入口管接続部３０４ｂと、蛇行状部３０４ａの他端から上方に突出する出口管接続部３０４ｃとを備えている。蛇行状部３０４ａは、天面３０１ａに対して平行に、筐体３０１に入口配管３０２および出口配管３０３を介して保持されている。つまり、蛇行状部３０４ａを構成する配管を通る平面が、天面１０１ａと平行となるように保持されている。
【００７９】
蛇行状部３０４ａは、１本の配管を複数回、曲げて、蛇行状に形成しても、複数の配管を、所定の角度に曲げられた接続管によって接続して、蛇行状に形成してもよい。
【００８０】
より具体的には、蛇行状部３０４ａは、入口管接続部１０４ｂに接続された第１長水平配管４０１ａと、第１長水平配管４０１ａの他端に接続された第１短水平配管４０２ａと、第１短水平配管４０２ａの他端に接続された第２長水平配管４０１ｂと、第２長水平配管４０１ｂの他端に接続された第２短水平配管４０２ｂと、第２短水平配管４０２ｂの他端に接続された第３長水平配管４０１ｃと、第３長水平配管４０１ｃの他端に接続された第３短水平配管４０２ｃと、第３短水平配管４０２ｃの他端に接続された第４長水平配管４０１ｄと、第４長水平配管４０１ｄの他端に接続された第４短水平配管４０２ｄと、第４短水平配管４０２ｄの他端に接続された第５長水平配管４０１ｅと、第５長水平配管４０１ｅの他端に接続された第５短水平配管４０２ｅと、第５短水平配管４０２ｅの他端に接続された第６長水平配管４０１ｆと、第６長水平配管４０１ｆの他端に接続された第６短水平配管４０２ｆと、第６短水平配管４０２ｆに接続された出口管接続部１０４ｃとを備えている。
【００８１】
入口管接続部３０４ｂは、入口配管３０２の鉛直下方に配置され、天面３０１ａに対して垂直方向に設けられた略直線状の接続部である。出口管接続部３０４ｃは、出口配管３０３の鉛直下方に配置され、天面３０１ａに対して垂直方向に設けられた略直線状の接続部である。
【００８２】
第１短水平配管４０２ａから第５短水平配管４０２ｅのそれぞれの長さは、第１長水平配管４０１ａから第６長水平配管４０１ｆのいずれの長さよりも短い。第６短水平配管４０２ｆは、第１短水平配管４０２ａから第５短水平配管４０２ｅのいずれの長さよりも長い。第１長水平配管４０１ａは、第６長水平配管４０１ｆの略１／２の長さである。
【００８３】
第１長水平配管４０１ａは、出口管接続部１０４ｃが設けられた側であって、天面１０１ａの長辺側に位置する側面に沿う配管である。
【００８４】
第６長水平配管４０１ｆは、出口管接続部１０４ｃが設けられていない側であって、天面１０１ａの長辺側に位置する側面に沿う配管である。第６長水平配管４０１ｆは、筐体１０１の内部に収納できる限度で、天面１０１ａの長手方向の長さとほぼ同じ長さを有している。少なくとも、第５長水平配管４０１ｅは、他の長水平配管４０１や短水平配管４０２より長い。
【００８５】
第１短水平配管４０２ａ、第３短水平配管４０２ｃ、第４短水平配管４０２ｄは、出口管接続部１０４ｃが設けられていない側であって、天面１０１ａの短辺側に位置する側面に沿う配管である。
【００８６】
第６短水平配管４０２ｆは、出口管接続部１０４ｃが設けられた側であって、天面１０１ａの短辺側に位置する側面に沿う配管である。第６短水平配管４０２ｆは、筐体１０１の内部に収納できる限度で、天面１０１ａの短手方向の長さとほぼ同じ長さを有している
。
【００８７】
第１長水平配管４０１ａから第６長水平配管４０１ｆは、それぞれ、天面１０１ａの長手方向に平行な方向に設けられた略直線状の配管である。第１短水平配管４０２ａから第６短水平配管４０２ｆは、それぞれ、天面１０１ａの短手方向に平行な方向に設けられた略直線状の配管である。長水平配管４０１と短水平配管４０２とは、略直角に曲げられた接続管によって接続されている。
【００８８】
第１長水平配管４０１ａから第６長水平配管４０１ｆは、それぞれ、天面３０１ａに対して水平方向で、天面３０１ａの長手方向に平行な方向に設けられた略直線状の配管である。第１短水平配管４０２ａから第５短水平配管４０２ｅは、それぞれ、天面３０１ａに対して垂直方向に設けられた略直線状の配管である。長水平配管４０１と短水平配管４０２とは、略直角に曲げられた接続管によって接続されている。
【００８９】
隣接する長水平配管４０１どうしは、所定の間隔をあけて設けてある。隣接する長水平配管４０１どうしの間隔は、１０ｍｍ以上が好ましい。また、第２短水平配管４０２ｂまたは第４短水平配管４０２ｄと、第６短水平配管４０２ｆとは、所定の間隔をあけて設けてある。この間隔は、１０ｍｍ以上が望ましい。これによれば、第２短水平配管４０２ｂまたは第４短水平配管４０２ｄを流れる作動流体と、第６短水平配管４０２ｆを流れる作動流体とが熱交換することを防止できる。
【００９０】
このように、蛇行状部３０４ａを、複数の長水平配管４０１と複数の短水平配管４０２とを組み合わせた矩形状の蛇行形状とすることが、より長い配管を筐体３０１の内部に収納できるので、望ましい。これにより、熱交換器３０４の熱交換性能が向上する。
【００９１】
なお、蛇行状部３０４ａは、第６長水平配管４０１ｆまでの６本の長水平配管４０１と、第６短水平配管４０２ｆまでの６本の短水平配管４０２とを備えているが、長水平配管４０１および短水平配管４０２をそれぞれ複数の本数、備えていればよく、この本数に限定されるものではない。また、蛇行状部３０４ａを構成する配管のうち、側面に沿う配管以外は、必ずしも、長水平配管４０１と短水平配管４０２とで構成されていなくてもよく、例えば、一部または全部の配管が、曲線状の配管や、筐体３０１の側面に対して傾斜した方向の直線状の配管で構成されていてもよい。
【００９２】
以上のように、本変形例の構成では、筐体１０１の底面と等距離となる蛇行状部３０４ａの一方から他方へ作動流体を流すことで、作動流体と地中温度との温度差を確保でき、効率のよい熱交換ができる。
【００９３】
また、筐体１０１の底面と平行な配管が多く配置できるので、熱交換器３０４の配管長が長くなり、伝熱面積を広く確保することができる。
【００９４】
（実施の形態２）
図４は、本発明の実施の形態２に係る複数の地中熱用熱交換器ユニットを用いた熱搬送装置の概略構成図である。図５は、複数の地中熱用熱交換器ユニットの配置の概略を示す上面図である。本実施の形態の熱搬送装置３０と実施の形態１の熱搬送装置１０とが異なる点は、複数の地中熱用熱交換器ユニットを接続した点である。地中熱用熱交換器ユニットとしては、実施の形態１で説明した地中熱用熱交換器ユニット１００を用いて説明するが、これに限定されるものはない。例えば、実施の形態１の変形例で説明した地中熱用熱交換器ユニット３００を用いてもよい。
【００９５】
熱搬送装置３０は、複数の地中熱用熱交換器ユニット１００と、熱源機２００と、複数
の地中熱用熱交換器ユニット１００のそれぞれの入口配管１０２と接続される入口分流器５０１と、複数の地中熱用熱交換器ユニット１００のそれぞれの出口配管１０３と接続される出口分流器５０２と、入口分流器５０１と熱源機２００と接続する第１接続配管３００ａと、出口分流器５０２と熱源機２００と接続する第２接続配管３００ｂとを備えている。
【００９６】
複数の入口配管１０２と入口分流器５０１とは、それぞれ、第１分流配管５０３ａで接続され、複数の出口配管１０３と出口分流器５０２とは、それぞれ、第２分流配管５０３ｂで接続されている。地中熱用熱交換器ユニット１００はそれぞれ、第１分流配管５０３ａと、入口分流器５０１と、第１接続配管３００ａと、熱源機２００と、第２接続配管３００ｂと、出口分流器５０２と、第２分流配管５０３ｂとは、環状に接続され、作動流体循環回路を構成する。
【００９７】
第１接続配管３００ａ、第２接続配管３００ｂ、第１分流配管５０３ａ、第２分流配管５０３ｂは、それぞれ、断熱材で覆われていることが望ましい。これによれば、第１接続配管３００ａ、第２接続配管３００ｂ、第１分流配管５０３ａ、第２分流配管５０３ｂを流れる作動流体が、地中の垂直方向の温度分布や外気の影響を受けることがなく、効率よく地中熱を、複数の地中熱用熱交換器ユニット１００と熱源機２００との間で搬送できる。
【００９８】
図５に示すように、複数の地中熱用熱交換器ユニット１００のうち、少なくとも１つの地中熱用熱交換器ユニット１００Ｂは、地中熱用熱交換器ユニット１００Ｂの出口配管１０３が設けられた側であって、天面１０１ａの短辺側に位置する側面１０１ｂを、当該地中熱用熱交換器ユニット１００Ｂと隣接する地中熱用熱交換器ユニット１００Ａの出口配管１０３が設けられた側であって、天面１０１ａの短辺側に位置する側面１０１ｂに対向して配置する。
【００９９】
以上のように構成された熱搬送装置３０の動作について説明する。作動流体循環回路に設けられたポンプの動作により、作動流体は、第１接続配管３００ａを介して、入口分流器５０１へと流れ込む。作動流体は、入口分流器５０１で分流され、複数の第１分流配管５０３ａを介して、複数の地中熱用熱交換器ユニット１００のそれぞれへと流れ込む。作動流体は、複数の地中熱用熱交換器ユニット１００のぞれぞれで、地中熱と熱交換（放熱または吸熱）する。その後、作動流体は、複数の地中熱用熱交換器ユニット１００のそれぞれから、複数の第２分流配管５０３ｂを介して、出口分流器５０２へと排出される。作動流体は、入口分流器５０１で合流され、第２接続配管３００ｂを介して、地中から地上へ汲み上げられ、熱源機２００へと流れ込む。
【０１００】
本実施の形態では、熱源機２００の必要負荷や、地熱の量に応じて、熱搬送装置３０が備える地中熱用熱交換器ユニット１００の個数を容易に変更できるため、熱搬送装置３０の能力の可変とすることができる。
【０１０１】
また、少なくとも１つの地中熱用熱交換器ユニット１００Ｂは、出口配管１０３が設けられた側であって、天面１０１ａの短辺側に位置する側面１０１ｂを、隣接する地中熱用熱交換器ユニット１００Ａの出口配管１０３が設けられた側であって、天面１０１ａの短辺側に位置する側面１０１ｂに対向して配置している。
【０１０２】
このため、地中熱用熱交換器ユニット１００Ｂと隣接する地中熱用熱交換器ユニット１００Ａとのそれぞれの隣接する面での熱の移動を抑制できる。これについて、図５および図６を用いて説明する。図６は、比較例に係る複数の地中熱用熱交換器ユニットの配置の概略を示す上面図である。
【０１０３】
複数の地中熱用熱交換器ユニット１００をすべて同一方向に並べて配置すると、図６に示すように、出口配管１０３を有する側の側面１０１ｂと、隣接する地中熱用熱交換器ユニット１００の出口配管１０３が有しない側であって、天面１０１ａの短辺側に位置する側面１０１ｃとが対向して、隣接することとなる。
【０１０４】
この場合には、第５短水平配管２０２ｅは、隣接する地中熱用熱交換器ユニット１００の第４短水平配管２０２ｄと近接する。さらに、第５短水平配管２０２ｅを流れる作動冷媒は、隣接する地中熱用熱交換器ユニット１００の第４短水平配管２０２ｄ内を流れる作動冷媒とは逆方向に流れるため、対向流となる。このため、第５短水平配管２０２ｅを流れる作動冷媒と、隣接する第４短水平配管２０２ｄ内を流れる作動冷媒との温度差が大きくなる。
【０１０５】
これにより、作動流体が地中熱へ放熱する場合には、第５短水平配管２０２ｅを流れる作動冷媒は、隣接する第４短水平配管２０２ｄ内を流れる作動冷媒によって加熱される虞がある。また、作動流体が地中熱から吸熱する場合には、第５短水平配管２０２ｅを流れる作動冷媒は、隣接する第４短水平配管２０２ｄ内を流れる作動冷媒によって冷却される虞がある。このため、熱搬送装置３０の熱搬送の効率が低下する虞がある。
【０１０６】
一方、本実施の形態のように、複数の地中熱用熱交換器ユニット１００を少なくとも１つを、出口配管１０３を有する側の側面１０１ｂを、隣接する地中熱用熱交換器ユニット１００Ａの出口配管１０３を有する側の側面１０１ｂと対向させて、隣接させる場合には、第５短水平配管２０２ｅは、隣接する地中熱用熱交換器ユニット１００Ａの、第５短水平配管２０２ｅと近接する（図５参照）。さらに、近接する、第５短水平配管２０２ｅのそれぞれを流れる作動冷媒はともに同じ方向に流れるので、並行流となる。このため、近接する第５短水平配管２０２ｅのそれぞれを流れる作動冷媒は、互いの熱移動の影響を受け難い。
【０１０７】
つまり、作動流体が地中熱へ放熱する場合には、第５短水平配管２０２ｅを流れる作動冷媒は、隣接する地中熱用熱交換器ユニット１００Ｂの第４短水平配管２０２ｄ内を流れる作動冷媒によって加熱されることを抑制できる。また、作動流体が地中熱から吸熱する場合には、第５短水平配管２０２ｅを流れる作動冷媒は、隣接する地中熱用熱交換器ユニット１００Ｂの第４短水平配管２０２ｄ内を流れる作動冷媒によって冷却されることを抑制できる。これによって、複数の地中熱用熱交換器ユニット１００と熱源機２００との間で、熱を効率よく搬送できる。
【０１０８】
なお、本実施の形態では、入口分流器５０１および出口分流器５０２を用いて、複数の地中熱用熱交換器ユニット１００を熱源機２００に対して、並列に接続する構成として説明したが、複数の地中熱用熱交換器ユニット１００と、熱源機２００とを直列に接続する構成でもよい。
【産業上の利用可能性】
【０１０９】
以上のように、本発明に係る地中用熱熱交換器ユニットおよびこれを用いた熱搬送装置は、地中熱を利用した空気調和機、冷凍機などの冷却システム及び加熱システムに対し、広くに適用できる。
【符号の説明】
【０１１０】
１０、３０  熱搬送装置
２０  掘削領域
１００、３００  地中熱用熱交換器ユニット
１０１、３０１  筐体
１０１ａ、３０１ａ  天面
１０１ｂ、１０１ｃ  側面
１０２、３０２  入口配管
１０３、３０３  出口配管
１０４、３０４  熱交換器
１０４ａ  渦巻状部
１０４ｂ  入口管接続部
１０４ｃ  出口管接続部
１０５  熱媒体
２００  熱源機
２０１、４０１  長水平配管
２０１ａ  第１長水平配管
２０１ｂ  第２長水平配管
２０１ｃ  第３長水平配管
２０１ｄ  第４長水平配管
２０１ｅ  第５長水平配管
２０２、４０２  短水平配管
２０２ａ  第１短水平配管
２０２ｂ  第２短水平配管
２０２ｃ  第３短水平配管
２０２ｄ  第４短水平配管
２０２ｅ  第５短水平配管
３００ａ  第１接続配管
３００ｂ  第２接続配管
３０４ａ  蛇行状部
３０４ｂ  入口管接続部
３０４ｃ  出口管接続部
４０１ａ  第１長水平配管
４０１ｂ  第２長水平配管
４０１ｃ  第３長水平配管
４０１ｄ  第４長水平配管
４０１ｅ  第５長水平配管
４０１ｆ  第６長水平配管
４０２ａ  第１短水平配管
４０２ｂ  第２短水平配管
４０２ｃ  第３短水平配管
４０２ｄ  第４短水平配管
４０２ｅ  第５短水平配管
４０２ｆ  第６短水平配管
５０１  入口分流器
５０２  出口分流器
５０３ａ  第１分流配管
５０３ｂ  第２分流配管
【図１】
2017146005.tif 000003
【図２】
2017146005.tif 000004
【図３】
2017146005.tif 000005
【図４】
2017146005.tif 000006
【図５】
2017146005.tif 000007
【図６】
2017146005.tif 000008